(57)【要約】【課題】危険を伴う場所を歩行する際、歩行者がより安全に歩行できるように、振動装置を設けた点字ブロックを提供する。【解決手段】本発明の振動機能付き点字ブロックは、点字ブロック１の突起２下部もしくは突起２内部に振動装置３を設け、歩行者が点字ブロック１にのったことを感知する感知センサー５と、該感知センサー５を制御する制御装置７と、要時に振動機能を作動させる制御装置７とを備えて構成される。【選択図】図１
2019034096.tif 000002
【特許請求の範囲】
【請求項１】
点字ブロックの突起の下部もしくは突起の内部に振動装置が設けられた振動部と、歩行者が点字ブロックにのったことを感知する感知部と、歩行者が点字ブロックにのったことを感知し、適宜前記振動部を制御する制御部Ａと、適宜前記振動装置を作動させる制御部Ｂとを備えてなる振動機能付き点字ブロック。
【請求項２】
前記振動部は、動作の際、適宜振動の強弱や周期、間欠性の差異を設けることを特徴とする請求項１に記載の振動機能付き点字ブロック。
【請求項３】
前記制御部２は、適宜前記振動部に情報を伝達し、振動を発生させることを特徴とする請求項１または請求項２に記載の振動機能付き点字ブロック。
【請求項４】
前記制御部２は外部の音声認識システムや画像認識システム、その他のシステムに連動し、適宜前記振動部に情報を伝達し、振動を発生させることを特徴とする請求項１から請求項３の何れかに記載の振動機能付き点字ブロック。
【発明の詳細な説明】
【技術分野】
【０００１】  本発明は、視覚障害者安全誘導用のコンクリートブロック及び視覚障害者安全誘導用の合成樹脂タイル等、いわゆる点字ブロックに振動装置を設けた振動機能付き点字ブロックに関するものである。
【技術背景】
【０００２】  従来、点字ブロックによる警告をする手段は、点状突起を有した点字ブロック（警告ブロック）の突起だけであった。（非特許文献１参照）そのため、視覚障害者や足元に注意の行き届かない歩行者などへの警告が万全ではなかった。現に鉄道駅において視覚障害者が点字ブロックに気付かず、線路へ転落する事故が多く発生している。（非特許文献２参照）また、スマートフォンを使用しながら（いわゆる歩きスマホ）の歩行者が鉄道駅プラットホームから転落する事故も多く発生している。
【０００３】  点字ブロック列を用いた視覚障害者が安全に歩行できるシステムとして、線状突起を有し、磁気を発する点字ブロック（誘導ブロック）列上を歩く視覚障害者が持つ白杖に内蔵された振動装置や視覚障害者が履いている靴に内蔵された振動装置等による伝達を行う技術が開示されている。（例えば特許文献１参照）
【先行技術文献】
【特許文献】
【０００４】
【特許文献１】特開平１０−１１３３５９号公報
【非特許文献】
【０００５】
【非特許文献１】徳田克己・水野智美著、「点字ブロック  日本発  視覚障害者が世界を安全に歩くために」福村出版、２０１１年９月２０日発行、ｐ．８〜９
【非特許文献２】社会福祉法人日本盲人会連合（発行年不明）「転落事故に関するアンケート調査結果」ｈｔｔｐ：／／ｎｉｃｈｉｍｏｕ．ｏｒｇ／ｗｐ−ｃｏｎｔｅｎｔ／ｕｐｌｏａｄｓ／２０１４／０２／１１０５ｔｅｎｒａｋｕｊｉｋｏａｎ．ｐｄｆ
【発明の概要】
【発明が解決しようとする課題】
【０００６】  従来の点字ブロックでは、視覚障害者は点字ブロックの突起を足の裏の触感覚や、白杖を通じての感覚及び白杖が地面に当たる音を通じての聴力を頼るだけであり、不安感を払拭させるまでには至っていない。また、警告がうまく為されないことがあった。【０００７】  先行技術では白杖や靴に内蔵された振動装置等を用いなければ、警告を与えることができなかった。【０００８】  本発明は、以上のような欠点を解決するためになされたもので、点字ブロックの下部もしくは内部に常時もしくは適宜振動可能に設けられた振動装置を備え、歩行者に対し、より強固な警告を可能にした振動機能を内蔵した点字ブロックを提供するものである。
【課題を解決するための手段】
【０００９】  点字ブロックの突起の下部もしくは突起の内部に振動装置が設けられた振動部と、歩行者が点字ブロックにのったことを感知する感知部と、歩行者が点字ブロックにのったことを感知し、適宜前記振動部に情報を伝達する制御部Ａと、外部システムと連動し適宜前記振動装置を作動させる制御部Ｂとを備えてなる振動機能付き点字ブロック。【００１０】  前記振動部は、動作の際、適宜振動の強弱や周期、間欠性の差異を設けることを特徴とする振動機能付き点字ブロック。【００１１】  前記制御部Ｂは、適宜前記振動部に情報を伝達し、振動を発生させることを特徴とする振動機能付き点字ブロック。【００１２】  前記制御部Ｂは外部の音声認識システムや画像認識システム、その他のシステムに連動し、適宜前記振動部に情報を伝達し、振動を発生させることを特徴とする振動機能付き点字ブロック。【００１３】  この構成によれば、点字ブロックを振動させることができるため、視覚障害者や足元に注意の行き届かない歩行者に対し、より強固に警告することができる。これにより、視覚障害者や足元に注意の行き届かない歩行者の安全性を向上させる事ができる。
【発明の効果】
【００１４】  本発明は、以上説明したように構成されており、以下に記載されるような効果を奏する。【００１５】  振動装置を点字ブロックの突起の下部もしくは突起の内部に取り付けることにより、視覚障害者や足元に注意の行き届かない歩行者に対し、警告を強固にできる。【００１６】  振動装置を歩行者の接地面積が大となる点字ブロックの突起下部もしくは内部に取り付けることにより、振動装置から発する大きな振動を得ることができるので、歩行者に対し、より効果的に警告を与えることが可能となる。【００１７】  また、各振動装置を点字ブロックの突起の下部もしくは突起の内部にそれぞれ各列に並列に取り付け、列ごとに振動に差異を付けることにより、視覚障害者に対し空間認知をより効果的に与えることができる。
【図面の簡単な説明】
【００１８】
【図１】  本発明の側面図である。
【図２】  本発明の断面拡大図である。
【図３】  本発明の概念図である。
【図４】  本発明のシステム構成図である。
【発明を実施するための形態】
【００１９】  本発明の振動機能付き点字ブロックは、点字ブロックの突起の下部もしくは突起の内部に振動装置が設けられた振動部と、歩行者が点字ブロックにのったことを感知する感知部と、歩行者が点字ブロックにのったことを感知する感知センサーより適宜情報を受け、振動機能を作動させる制御部Ａと、外部システムと連動し、適宜振動機能を作動させる制御部Ｂとを備えることを特徴とする。
【００２０】  前記振動部は、歩行者が点字ブロックにのったことを感知する前記感知部が歩行者を感知し、前記感知部より適宜情報を受け、振動機能を作動させる制御部Ａが情報を伝達し、点字ブロックの突起の下部もしくは突起の内部に振動装置が設けられた振動部が振動をすることを特徴とする振動機能付き点字ブロック。
【００２１】  前記振動部は、適宜振動の強弱や周期、間欠性の差異を設けることを特徴とする振動機能付き点字ブロック。
【００２２】  前記制御部Ｂは、適宜前記振動部に情報を伝達し、振動を発生させることを特徴とする振動機能付き点字ブロック。
【００２３】  前記制御部Ｂは音声認識システムや画像認識システムを用い、適宜前記振動部に情報を伝達し、振動を発生させる。また、その他のシステムに連動し、情報を得る手段を備えてなる振動機能付き点字ブロック。
【００２４】  以下、図面を用いて本発明の実施形態を説明する。図１は本発明を適用してなる振動機能付き点字ブロックの側面図である。図２は本発明を適用してなる振動機能付き点字ブロックの断面拡大図である。図３は本発明を適用してなる振動機能付き点字ブロックの概念図である。図４は本発明を適用してなる振動機能付き点字ブロックのシステム構成図である。
【００２５】  なお、図において、１は点字ブロック、２は点字ブロック１の突起部、３は点字ブロックの突起２下部もしくは突起２内部に設けられた振動装置、４は振動装置３を制御及び駆動させるための配線、５は歩行者がのったことを感知する感知センサー、６は視覚障害者、７は制御装置である。
【００２６】  本実施形態の振動機能付き点字ブロックは、図１，図２に示すように点字ブロック１の突起２下部もしくは突起２内部に振動装置３を取付け、配線４を行うことが望ましいがその限りではない。振動装置３は感知センサー５及び振動装置３を制御する制御装置７Ａおよび外部より適時情報を受け取る制御装置７Ｂと配線４により、それぞれ電気的に接続されている。
【００２７】  上記振動装置３及び配線４には図２に示すように点字ブロック内部に振動装置取付け部を形成し、配線をするための溝を形成する。なお、断面コ字状となることが望ましいがその限りではない。
【００２８】  本実施形態の点字ブロックは床面に接着剤等を用い、設置する形態のもの（合成樹脂タイル製等）及び、埋設する形態のもの（コンクリートブロック製等）を想定しているがその限りではない。
【００２９】  上記振動装置を取り付ける位置は、点字ブロック下部もしくは内部の適当な箇所とすることが可能であるが、後記する理由により、特に点字ブロックの突起下部もしくは突起内部に取り付けることが効果的である。
【００３０】  上記のように構成された点字ブロック上を警告に気付かない視覚障害者や足元に注意の行き届かない歩行者が歩く際や危険な際において、断続的に振動装置が作動すると、点字ブロックの下部もしくは内部に取り付けた振動装置による振動が点字ブロックの突起を伝わる。
【００３１】  上記した理由から振動装置の取付け位置は点字ブロック１の突起２下部もしくは突起２内部にあればあるほど有効であり、振動装置３それ自体は、均一な性能を持った振動バランスのよいものが好ましい。
【００３２】また、点字ブロック１の突起２の下部もしくは突起２の内部に取り付けた各振動装置３は各列にそれぞれ並列に取り付ける。つまり、各列により振動に差異を設けることが望ましいが、限定されるものではない。
【００３３】  本実施形態の点字ブロックは床面に複数の点字ブロック１が並べて設置される。この点字ブロック１は図３に示すように、帯状に設置され、接続されることが望ましい。
【００３４】  例えば、振動装置３は偏心錘を回転させる振動モーターにより振動を生じさせ、その突起２に振動を伝播させる構成が一般的に用いられるが、この構成に限定されるものではない。点字ブロック１は弾力性を有する合成樹脂を用いた形成品が適しているが、限定されるものではない。
【００３５】  図１及び図２では点字ブロック内部に取り付けられた実施例であるが、感知センサー５の取付け位置は点字ブロックの内部、外部を問わない。つまり、点字ブロック以外の構造物に付属させることも可能である。
【００３６】  図４は制御装置７Ａおよび制御装置７Ｂが点字ブロック外部に取り付けられた実施例であるが、制御装置７Ａおよび制御装置７Ｂの取付け位置は点字ブロック内部、外部を問わない。つまり、点字ブロック以外の構造物に付属させることも可能である。
【００３７】  次に、このように構成される振動機能付き点字ブロックの動作について説明する。
【００３８】  上記感知センサーが、歩行者が点字ブロック１に乗ったことを感知し、振動装置３が振動を開始し、強固に警告を行う。また、該感知センサーの取付け位置は図に示した限りではない。
【００３９】  前記制御部Ｂは危険が迫った際、例えば鉄道駅のプラットホームにおいて、車両が接近してきた際や交差点付近の歩道において、歩行者用信号機が赤信号である際などには、外部の音声認識システムや画像認識システム、その他のシステムに連動し、適宜前記振動部に情報を伝達し、振動を開始し、警告を行う。
【００４０】  例えば階段の手前や踊り場、その他の危険な場所では常時振動装置を作動させ、警告を行う。
【００４１】  振動は各列において同一であり、振動は断続的に繰り返すことが望ましいが、限定されるものではない。
【００４２】  図３，４に示される実施例では鉄道駅のプラットホームを想定したものであるが、１０１ａ−１０１ｂ列から１０２ａ−１０２ｂ列の振動に差異を設けることにより、より危険な側を強く振動させ、より安全な側を弱くするなどの効果により、空間認識性を高めるが、振動の強弱や振動の周期の差異などは限定されるものではない。
【００４３】  また、鉄道駅のプラットホームでは常時、間欠的に弱く振動を発生させ注意を促し、列車が接近した際には、より強く、間欠性に差異を設け振動するなど限定されるものではない。
【００４４】  交差点付近の歩道では常時、間欠的に弱く振動を発生させ注意を促し、歩行者用信号機が点滅や赤くなると常時振動をするなど、制限されるものではない。
【符号の説明】
【００４５】１    点字ブロック
２    突起
３    振動装置
４    配線
５    感知センサー
６    視覚障害者
７Ａ  制御装置Ａ
７Ｂ  制御装置Ｂ
【図１】
2019034096.tif 000003
【図２】
2019034096.tif 000004
【図３】
2019034096.tif 000005
【図４】
2019034096.tif 000006